(57)【要約】【課題】転動体をスライダから脱落させることなくアンダーシール板をスライダから取り外すことができると共に全長の長いスライダを使用した場合でも案内レールの側面部とアンダーシール板との間に隙間が生じることを防止することのできる直動案内装置を提供する。【解決手段】案内レール２の側面部とスライダ４との間をシールするアンダーシール板１４を備えた直動案内装置において、アンダーシール板１４を支持する支持溝１８をスライダ４の内側側面部４ａに設けるとともに、アンダーシール板１４を支持溝１８に挿入するためのスリットをエンドキャップに設けた。【選択図】図２
2006183769.tif 000002
【特許請求の範囲】
【請求項１】
案内レールと、この案内レールの長手方向に相対移動するスライダと、このスライダの前後方向両端面に取り付けられたエンドキャップと、前記案内レールの長手方向に沿って前記案内レールと前記スライダとの間に形成された転動体転動路を転動すると共に前記スライダに形成された転動体戻り通路及び前記エンドキャップに形成された転動体方向転換路を転動する多数の転動体と、前記案内レールの側面部と前記スライダとの間隙をシールするアンダーシール板とを備えた直動案内装置において、
前記アンダーシール板を支持する支持溝を前記スライダに設けるとともに、前記アンダーシール板を前記支持溝に挿入するためのスリットを前記エンドキャップに設けたことを特徴とする直動案内装置。
【発明の詳細な説明】
【技術分野】
【０００１】
本発明は、直線運動する物体をその移動方向に案内する直動案内装置に関する。
【背景技術】
【０００２】
工作機械などの各種産業機械では、ワークテーブル等の直線運動する物体をその移動方向に案内する装置として、例えば図４及び図５に示すような直動案内装置１が用いられている。この直動案内装置１は直線状の案内レール２を備えており、案内レール２の左右側面部には、複数の転動体軌道面（以下「レール側軌道面」と称す）３が案内レール２の長手方向に沿って設けられている。また、図４及び図５に示す直動案内装置１はスライダ４を備えており、案内レール２の左右側面部と対向するスライダ４の内側側面部には、複数の転動体軌道面（以下「スライダ側軌道面」と称す）５がレール側軌道面３と対向するように設けられている。
【０００３】
レール側軌道面３及びスライダ側軌道面５はその断面が円弧状またはゴシックアーク状に形成されており、レール側軌道面３とスライダ側軌道面５との間には多数の球状転動体６が組み込まれている。これらの転動体６はレール側軌道面３とスライダ側軌道面５との間に形成された直線状の転動体転動路７をスライダ４が案内レール２の長手方向に相対移動することにより転動するようになっており、スライダ４には、転動体転動路７を転動した転動体６を戻すための転動体戻り通路８が形成されている。この転動体戻り通路８は転動体転動路７と平行にスライダ４に形成されており、スライダ４の前後方向両端面に取り付けられたエンドキャップ９には、転動体６を方向転換させるための転動体方向転換路１０が形成されているとともに、案内レール２とエンドキャップ９との間隙をシールするサイドシール板１１が取り付けられている。
【０００４】
なお、案内レール２の上面部には、図示しないボルトにより案内レール２を工作機械の基台等に固定するためのレール取付け孔１２が案内レール２の長手方向に一定ピッチで穿設されている。また、スライダ４の上面部には、スライダ４をワークテーブル等の移動体にねじ固定するためのねじ穴１３が複数箇所に設けられている。
【０００５】
このような直動案内装置では、案内レール２の側面部とスライダ４の内側側面部との間に間隙ｇ１（図５参照）が形成されており、この間隙ｇ１から転動体転動路７に塵埃が侵入すると、転動体６の転がり運動が阻害される。そこで、従来においては、案内レール２の側面部とスライダ４の内側側面部との間に形成された間隙をシールする手段として、図６及び図７に示すようなアンダーシール板１４を用い、このアンダーシール板１４のシールリップ１４ａを案内レール２の側面部に摺接させて塵埃の侵入を防止するようにしている（特許文献１参照）。
【特許文献１】実開平１−１７８２２１号公報
【発明の開示】
【発明が解決しようとする課題】
【０００６】
しかしながら、従来の直動案内装置においては、二つのエンドキャップ９に形成された係止溝にアンダーシール板１４の長手方向両端部を差し込んでアンダーシール板１４をスライダ４に組み付けている。このため、アンダーシール板１４をスライダ４から取り外す場合には、二つのエンドキャップ９のうちどちらか一方のエンドキャップ９をスライダ４から取り外す必要があるため、アンダーシール板１４の取外し時に転動体６がスライダ４から脱落するおそれがあった。
【０００７】
また、スライダの全長が長い場合には、図８に示すように、アンダーシール板１４が自重により弓形に撓むことによってスライダ４の下面部とアンダーシール板１４との間に隙間ｇ２が生じ、この隙間ｇ２からスライダ４の内部に塵埃が侵入するおそれがあった。
本発明は、このような問題点に着目してなされたものであり、転動体をスライダから脱落させることなくアンダーシール板をスライダから取り外すことができると共に全長の長いスライダを使用した場合でもスライダの下面部とアンダーシール板との間に隙間が生じることを防止することのできる直動案内装置を提供することを目的とするものである。
【課題を解決するための手段】
【０００８】
上記の目的を達成するために、本発明は、この案内レールの長手方向に相対移動するスライダと、このスライダの前後方向両端面に取り付けられたエンドキャップと、前記案内レールの長手方向に沿って前記案内レールと前記スライダとの間に形成された転動体転動路を転動すると共に前記スライダに形成された転動体戻り通路及び前記エンドキャップに形成された転動体方向転換路を転動する多数の転動体と、前記案内レールの側面部と前記スライダとの間隙をシールするアンダーシール板とを備えた直動案内装置において、前記アンダーシール板を支持する支持溝を前記スライダに設けるとともに、前記アンダーシール板を前記支持溝に挿入するためのスリットを前記エンドキャップに設けたことを特徴とする。
【発明の効果】
【０００９】
本発明に係る直動案内装置によれば、アンダーシール板を支持する支持溝をスライダに設けるとともに、アンダーシール板を支持溝に挿入するためのスリットをエンドキャップに設けたことにより、エンドキャップをスライダに取付けた状態でアンダーシール板をスライダから取り外すことができる。したがって、アンダーシール板の取外し時にエンドキャップをスライダから取り外す必要がないので、転動体をスライダから脱落させることなくアンダーシール板をスライダから取り外すことができる。また、スライダの全長が長い場合でもアンダーシール板が自重により弓形に撓むようなことがないので、全長の長いスライダを使用した場合でもスライダの下面部とアンダーシール板との間に隙間が生じることを防止することができる。
【発明を実施するための最良の形態】
【００１０】
以下、図１〜図３を参照して本発明の第１の実施形態について説明する。なお、図４〜図８に示したものと同一もしくは相当する部分には同一符号を付し、その部分の詳細な説明は割愛する。
図１は本発明の第１の実施形態に係る直動案内装置の一部断面正面図、図２は図１に示すＡ部の拡大図であり、図２に示されるように、案内レール２の側面部２ａと対向するスライダ４の内側側面部４ａには、アンダーシール板１４を支持する支持溝１８がスライダ４の全長にわたって設けられている。
【００１１】
図３は図１に示す直動案内装置のエンドキャップの正面図であり、同図に示されるように、エンドキャップ９には、アンダーシール板１４を上記支持溝１８に挿入するためのスリット１９が設けられている。なお、アンダーシール板１４は長方形状に形成された金属板１５（図２参照）と、この金属板１５の下面部に固着された弾性シール体１６とからなり、弾性シール体１６には、アンダーシール板１４を支持溝１８の天井面１８ａに押圧するための突起部１７がアンダーシール板１４の長手方向両端部に設けられている。
【００１２】
このように構成される本発明の第１の実施形態では、アンダーシール板１４を支持する支持溝１８をスライダ４の内側側面部４ａにスライダ４の全長にわたって設けるとともに、アンダーシール板１４を支持溝１８に挿入するためのスリット１９をエンドキャップ９に設けたことにより、エンドキャップ９をスライダ４に取付けた状態でアンダーシール板１４をスライダ４から取り外すことが可能となる。したがって、アンダーシール板１４の取外し時にエンドキャップ９をスライダ４から取り外す必要がないので、転動体６をスライダ４から脱落させることなくアンダーシール板１４をスライダ４から取り外すことができる。
【００１３】
また、スライダ４の全長が長い場合でもアンダーシール板１４が自重により弓形に撓むようなことがないので、全長の長いスライダを使用した場合でもスライダ４の下面部とアンダーシール板１４との間に隙間が生じ、この隙間からスライダ４の内部に塵埃が侵入することを防止することができる。
さらに、上述した第１の実施形態ではアンダーシール板１４を支持溝１８の天井面１８ａに押圧する突起部１７をアンダーシール板１４に設けたことにより、アンダーシール板１４がスライダ４の支持溝１８から脱落することを防止することができる。
なお、上述した実施形態では転動体としてボールを用いた直動案内装置に本発明を適用した場合を示したが、本発明はこれに限定されるものではなく、たとえば転動体としてローラを用いた直動案内装置についても本発明を適用することが可能である。
【図面の簡単な説明】
【００１４】
【図１】本発明の第１の実施形態に係る直動案内装置の正面図である。
【図２】図１に示すＡ部の拡大図である。
【図３】図１に示す直動案内装置のエンドキャップの正面図である。
【図４】直動案内装置の概略構成を示す平面図である。
【図５】図４に示す直動案内装置の正面図である。
【図６】サイドシール板の一例を示す斜視図である。
【図７】図６のVII−VII断面図である。
【図８】従来の直動案内装置の問題点を説明するための図である。
【符号の説明】
【００１５】
２  案内レール
３  レール側軌道面
４  スライダ
５  スライダ側軌道面
６  転動体
７  転動体転動路
８  転動体戻り通路
９  エンドキャップ
１０  転動体方向転換路
１１  サイドシール板
１４  アンダーシール板
１５  金属板
１６  弾性シール体
１７  突起部
１８  支持溝
１９  スリット
【図１】
2006183769.tif 000003
【図２】
2006183769.tif 000004
【図３】
2006183769.tif 000005
【図４】
2006183769.tif 000006
【図５】
2006183769.tif 000007
【図６】
2006183769.tif 000008
【図７】
2006183769.tif 000009
【図８】
2006183769.tif 000010